(57)【特許請求の範囲】
【請求項１】
被切断物を切断するカッターを当接させてその刃先を直線状に誘導するガイド部と、作業者が手を載置することで前記ガイド部を前記被切断物に押圧させる押圧部と、前記作業者の手と前記カッターとの接触を防止するガード部を少なくとも備える切断用定規であって、
前記ガイド部と前記押圧部とは、別の部材により構成され、
前記ガイド部を含むガイド部材は、前記ガイド部を構成する第一フランジとこの第一フランジに対向する第二フランジとよりなる一対のフランジと、前記一対のフランジを接続するウェブとからなるチャンネル材であり、
前記押圧部を含む押圧部材は、前記押圧部から突出しその一端が前記被切断物と接する脚部と、前記押圧部の幅方向の中間部分から前記脚部に並行して前記被切断物に向けて突出し且つその突出長さが前記脚部より短い突出部とを有し、
前記ガイド部材と前記押圧部材は、前記ガイド部及び前記脚部が長手方向に沿って並列するように前記第二フランジを前記突出部に当接させて前記ウェブに前記押圧部を重ねた部分で着脱可能に固定される切断用定規。
【請求項２】
前記押圧部材は、少なくとも長手方向中央部が前記被切断物から上方へ向けて凸となるように長手方向に沿って湾曲してある請求項１記載の切断用定規。
【請求項３】
前記ガイド部材は連結部材によって連結される少なくとも２つの部材からなり、前記連結部材は前記被切断物から上方へ向けて凸となるように長手方向に沿って湾曲してある請求項１記載の切断用定規。
【請求項４】
前記被切断物からの高さは、前記脚部が前記第一フランジよりも高い請求項１〜３のいずれかに記載の切断用定規。
【請求項５】
前記ガイド部材はＪＩＳ Ａ ６５１７に規定される野縁受であり、前記押圧部材はアルミ製である請求項１〜４のいずれかに記載の切断用定規。
【請求項６】
前記ガイド部を少なくとも長手方向中央部が前記被切断物から上方へ向けて凸となるように長手方向に沿って湾曲させて、前記ガイド部を前記押圧部材に取り付けた際に前記第一フランジの長手方向中央部と前記被切断物との間に空隙を形成する請求項１記載の切断用定規。
【請求項７】
前記押圧部は、前記ガード部と前記突出部との間に前記ウェブを固定する固定部材を取り付ける取付孔を有し、前記ガード部は、前記押圧部から前記被切断物に向けて突出する基端部を有し、その基端部の前記押圧部から前記被切断物へ向けての突出量は、前記取付孔の前記押圧部から前記被切断物へ向けての突出量と同じである請求項１〜６のいずれかに記載の切断用定規。
【請求項８】
作業者が手を載置することで被切断物を切断するカッターを当接させてその刃先を直線状に誘導するガイド部材としてのチャンネル材の第一フランジを前記被切断物に押圧させる押圧部と、
前記押圧部から突出しその一端が前記被切断物と接する脚部と、
前記押圧部の幅方向の中間部分から前記脚部に並行して前記被切断物に向けて突出し且つその突出長さが前記脚部より短い突出部とを有し、
前記第一フランジと前記脚部とが長手方向に沿って並列するように前記第一フランジに対向する前記チャンネル材の第二フランジを前記突出部に当接させて、前記押圧部を前記第一フランジと前記第二フランジを接続する前記チャンネル材のウェブに取り付けて切断用定規として用いられる押圧部材。
【請求項９】
前記押圧部から上方に向けて延在し、前記作業者の手と前記カッターとの接触を防止するガード部をさらに備え、前記押圧部は、前記ガード部と前記突出部との間に前記ウェブを固定する固定部材を取り付ける取付孔を有し、前記ガード部は、前記押圧部から前記被切断物に向けて突出する基端部を有し、その基端部の前記押圧部から前記被切断物へ向けての突出量は、前記取付孔の前記押圧部から前記被切断物へ向けての突出量と同じである請求項８記載の押圧部材。
【請求項１０】
前記ガード部は前記押圧部の一端から上部へ向けて突出し、前記脚部は前記押圧部の他端から下部へ向けて突出している請求項９記載の押圧部材。
【請求項１１】
前記ガード部は、前記作業者の腕を覆う保護カバーを取り付ける取付部を有する請求項９又は１０記載の押圧部材。
【請求項１２】
少なくとも長手方向中央部が前記被切断物から上方へ向けて凸となるように長手方向に沿って湾曲してある請求項８〜１１のいずれかに記載の押圧部材。
【発明の詳細な説明】
【技術分野】
【０００１】
本発明は、切断用定規及びこれに用いられる押圧部材に関する。さらに詳しくは、被切断物を切断するカッターを当接させてその刃先を直線状に誘導するガイド部と、作業者が手を載置することで前記ガイド部を前記被切断物に押圧させる押圧部と、前記作業者の手と前記カッターとの接触を防止するガード部を少なくとも備える切断用定規及びこれに用いられる押圧部材に関する。
【背景技術】
【０００２】
従来、上述の如き切断定規として、例えば非特許文献１に記載の如きものが知られている。この切断用定規は、ガイド部、押圧部及びガード部がアルミ材の押し出し成形で一体に作製されている。一体成形であるため、カッターによりガイド部に傷がついても交換不能で、長期に亘って精度よく直線状に切断することが困難となっていた。
【先行技術文献】
【非特許文献】
【０００３】
【非特許文献１】http://www.okuju.co.jp/products/item17.html
【発明の概要】
【発明が解決しようとする課題】
【０００４】
かかる従来の実情に鑑みて、本発明は、簡素な構造でありながら切断精度の低下を防止し得る切断用定規及びこれに用いられる押圧部材を提供することを目的とする。
【課題を解決するための手段】
【０００５】
上記目的を達成するため、本発明に係る切断用定規の特徴は、被切断物を切断するカッターを当接させてその刃先を直線状に誘導するガイド部と、作業者が手を載置することで前記ガイド部を前記被切断物に押圧させる押圧部と、前記作業者の手と前記カッターとの接触を防止するガード部を少なくとも備える構成において、前記ガイド部と前記押圧部とは、別の部材により構成され、前記ガイド部を含むガイド部材は、前記ガイド部を構成する第一フランジとこの第一フランジに対向する第二フランジとよりなる一対のフランジと、前記一対のフランジを接続するウェブとからなるチャンネル材であり、前記押圧部を含む押圧部材は、前記押圧部から突出しその一端が前記被切断物と接する脚部と、前記押圧部の幅方向の中間部分から前記脚部に並行して前記被切断物に向けて突出し且つその突出長さが前記脚部より短い突出部とを有し、前記ガイド部材と前記押圧部材は、前記ガイド部及び前記脚部が長手方向に沿って並列するように前記第二フランジを前記突出部に当接させて前記ウェブに前記押圧部を重ねた部分で着脱可能に固定されることにある。
【０００６】
上記構成によれば、ガイド部を含むガイド部材と押圧部を含む押圧部材とが別の部材で構成され、且つ、ガイド部及び脚部が長手方向に沿って並列するようにウェブに押圧部を重ねた部分で着脱可能に固定される。よって、ガイド部が仮にカッターで傷付いたとしても、ガイド部を含むガイド部材を交換できるので、長期に亘って精度よく直線状に被切断物を切断することができる。
【０００８】
また、前記押圧部材は、少なくとも長手方向中央部が前記被切断物から上方へ向けて凸となるように長手方向に沿って湾曲していてもよい。これにより、押圧部材の中間部と被切断物との間に空隙が形成されるので、押圧部材に取り付けられるガイド部材と被切断物との間に空隙（ムクリ）が形成される。よって、この構成においても、切断時にガイド部が被切断部から離隔することを防止でき、より精度よくガイド部に沿って直線状に切断することができる。
【０００９】
さらに、前記押圧部材は連結部材によって連結される少なくとも２つの部材からなり、前記連結部材は前記被切断物から上方へ向けて凸となるように長手方向に沿って湾曲していても構わない。この構成においても、ガイド部材と被切断物との間に空隙（ムクリ）が形成されるので、切断時にガイド部が被切断部から離隔することを防止でき、より精度よくガイド部に沿って直線状に切断することができる。
【００１０】
前記被切断物からの高さは、前記脚部が前記第一フランジよりも高いとよい。これにより、切断用定規を載置した際に、切断用定規が低い第一フランジ側へ傾くので、第一フランジの被切断物からの離隔をさらに抑制することができる。よって、さらに精度よく第一フランジに沿って直線状に切断することができる。
【００１１】
前記ガイド部材はＪＩＳ Ａ ６５１７に規定される野縁受であり、前記押圧部材はアルミ製であるとよい。施工現場に大量に存在する野縁受をその都度取り替えて用いればよく、作業性がよく、鋼製であるので傷つきにくい。一方で、押圧部材をアルミ製にすることで軽量化でき、作業性がさらに向上する。
係る場合、前記ガイド部を少なくとも長手方向中央部が前記被切断物から上方へ向けて凸となるように長手方向に沿って湾曲させて、前記ガイド部を前記押圧部材に取り付けた際に前記第一フランジの長手方向中央部と前記被切断物との間に空隙を形成してあるとよい。これにより、切断用定規を被切断物に載置した際に、ガイド部材の各端部は被切断物に接している一方、ガイド部材と被切断物との間に空隙（ムクリ）が形成される。この空隙（ムクリ）により、切断する際に押圧部を押圧しても、端部が被切断物から浮き上がることなく、ガイド部の中間部分が被切断物に接するように撓む。よって、切断時にガイド部が被切断部から離隔することを防止でき、より精度よくガイド部に沿って直線状に切断することができる。
また、前記押圧部は、前記ガード部と前記突出部との間に前記ウェブを固定する固定部材を取り付ける取付孔を有し、前記ガード部は、前記押圧部から前記被切断物に向けて突出する基端部を有し、その基端部の前記押圧部から前記被切断物へ向けての突出量は、前記取付孔の前記押圧部から前記被切断物へ向けての突出量と同じであるとよい。
【００１２】
上記目的を達成するため、本発明に係る切断用定規として用いられる押圧部材の特徴は、作業者が手を載置することで被切断物を切断するカッターを当接させてその刃先を直線状に誘導するガイド部材としてのチャンネル材の第一フランジを前記被切断物に押圧させる押圧部と、前記押圧部から突出しその一端が前記被切断物と接する脚部と、前記押圧部の幅方向の中間部分から前記脚部に並行して前記被切断物に向けて突出し且つその突出長さが前記脚部より短い突出部とを有し、前記第一フランジと前記脚部とが長手方向に沿って並列するように前記第一フランジに対向する前記チャンネル材の第二フランジを前記突出部に当接させて、前記押圧部を前記第一フランジと前記第二フランジを接続する前記チャンネル材のウェブに取り付けて切断用定規として用いられることにある。
【００１３】
係る場合、前記押圧部から上方に向けて延在し、前記作業者の手と前記カッターとの接触を防止するガード部をさらに備え、前記押圧部は、前記ガード部と前記突出部との間に前記ウェブを固定する固定部材を取り付ける取付孔を有し、前記ガード部は、前記押圧部から前記被切断物に向けて突出する基端部を有し、その基端部の前記押圧部から前記被切断物へ向けての突出量は、前記取付孔の前記押圧部から前記被切断物へ向けての突出量と同じであるとよい。
【００１４】
前記ガード部は前記押圧部の一端から上部へ向けて突出し、前記脚部は前記押圧部の他端から下部へ向けて突出しているとよい。係る場合、前記ガード部は、前記作業者の腕を覆う保護カバーを取り付ける取付部を有するとよい。これにより、作業者の手のみならず腕もカッターから保護でき、安全性が極めて高い。
また、少なくとも長手方向中央部が前記被切断物から上方へ向けて凸となるように長手方向に沿って湾曲してあるとよい。
【発明の効果】
【００１５】
上記本発明に係る切断用定規及びこれに用いられる押圧部材の特徴によれば、簡素な構造でありながら切断精度の低下を防止し得るに至った。
【００１６】
本発明の他の目的、構成及び効果については、以下の発明の実施の形態の項から明らかになるであろう。
【図面の簡単な説明】
【００１７】
【図１】本発明に係る切断用定規の使用状態を示す斜視図である。
【図２】本発明に係る切断用定規の斜視図である。
【図３】ガイド部材及び押圧部材の断面図であり、（ａ）は取付固定前、（ｂ）は取付固定後を示す。
【図４】押圧部材の押圧による撓みを説明する図であり、（ａ）はムクリを有する場合、（ｂ）はムクリを有さない場合を示す。
【図５】切断用定規を被切断物に載置した状態における断面図である。
【図６】他の実施形態に係る切断用定規の斜視図である。
【図７】さらに他の実施形態に係る切断用定規の斜視図である。
【図８】さらに他の実施形態に係る切断用定規の斜視図である。
【発明を実施するための形態】
【００１８】
次に、図１〜５を参照しながら、本発明の第一実施形態をさらに詳しく説明する。
本発明の第一実施形態に係る切断用定規１は、図１に示すように、大略、被切断物１００を切断するカッターＣを当接させてその刃先Ｃｅを直線状に誘導するガイド部２と、作業者が手Ｈを載置することでガイド部２を被切断物１００に押圧させる押圧部３と、作業者の手ＨとカッターＣとの接触を防止するガード部４を備える。被切断物１００は、例えば内装仕上材としての石膏ボードである。
【００１９】
図１〜３に示すように、ガイド部２はガイド部材２０により構成され、押圧部３は押圧部材３０により構成される。ガイド部２０と押圧部材３０とは、別の部材により構成されている。ガイド部材２０は、ガイド部２に加えガード部４も包含する。本実施形態では、１本の長尺部材より構成される押圧部材３０と１本の長尺部材より構成されるガイド部材２０とが取り付け固定されている。
【００２０】
ガイド部材２０は、図１〜３に示すように、対をなす第一、第二フランジ２１ａ，２１ｂと、その第一、第二フランジ２１ａ，２１ｂを幅方向Ｘに接続するウェブ２２からなるチャンネル材である。本実施形態では、押圧部材３０の外側に位置する第一フランジ２１ａが、カッターＣの刃先Ｃｅを直線状に誘導するガイド部２として機能する。
【００２１】
このガイド部材２０は、ＪＩＳ Ａ ６５１７に規定される野縁受である。上述したように、被切断物１００が内装仕上材の石膏ボードである場合、その施工現場には野縁受が大量に存在し、比較的安価に且つ簡単に入手することができる。また、その野縁受は、ＪＩＳにて規格された寸法である。従って、野縁受をガイド部材２０として利用可能とすることで、正確な切断を長期に渡って確保できると共に汎用性も高い。
【００２２】
押圧部材３０は、図１〜３に示すように、大略、幅方向Ｘに略平坦な平坦部３１と、平坦部３１の一方の端部３１ａから被切断物１００へ向けて鉛直方向Ｚに延びる脚部３２と、平坦部３１の他端３１ｂから上方へ向けて鉛直方向Ｚに延びる延長部３３よりなる。本実施形態では、平坦部３１が、作業者が手Ｈを載置することで先のガイド部２を被切断物１００に押圧させる押圧部３として機能する。また、延長部３３が、作業者の手ＨとカッターＣとの接触を防止するガード部４として機能する。
【００２３】
本実施形態における押圧部材３０は、図２，４に示すように、その長手方向中央部分Ｎで被切断物１００から上方へ向けて凸となるように長手方向Ｙに沿って湾曲してある。ここで、カッターＣの刃先Ｃｅを正しく直線状に誘導するためには、刃先Ｃｅの誘導開始地点及び誘導終了地点となるガイド部２の両端２ａを正しく位置決めする必要がある。図４（ａ）に示すように、押圧部材３０の少なくとも中央部分Ｎに上方へ凸状の湾曲部分を形成することで、押圧部材３０に取り付けるガイド部材２０と被切断物１００との間に空隙（ムクリ）を形成する。この空隙（ムクリ）によって、切断時に押圧部材３０の中央部分を押圧してもガイド部２の両端２ａ（誘導開始地点及び誘導終了地点）が被切断物１００から浮き上がることがなく密着させることができ、精度よく直線状に切断することができる。
【００２４】
一方、図４（ｂ）に示すように、長手方向Ｙに平坦である場合（ムクリを有しない）、切断時に押圧部材３０の中央部を押圧すると、ガイド部２の両端２ａ’が被切断物１００から浮き上がり、ガイド部２の両端２ａ’を位置決めできない場合が生じるので、この点で押圧部材３０の中央部Ｎに湾曲部を有する態様が優れているといえる。なお、作用効果の説明の便宜上、図面において被切断物１００との空隙（ムクリ）を大きく記載したが、実寸は例えば２〜３ｍｍ程度である。よって、組み立て時に、ガイド部材２０を押圧部材３０の湾曲に沿うように湾曲させて（クセ付ける）もよい。
【００２５】
押圧部材３０の平坦部３１の幅方向Ｘの中間部分には、鉛直方向Ｚ下方（被切断物１００側）へ向けて突出する突出部３４が、長手方向Ｙに沿って設けられている。また、突出部３４と延長部３３との間には、固定部材１０を取り付ける取付部３５が長手方向Ｙに沿って設けられている。この取付部３５には、適宜間隔をおいて固定部材１０を取り付ける取付孔３５ａが形成されている。延長部３３の基端部３３ａは、平坦部３１から下方（被切断物１００）へ向けて取付部３５の厚みと同程度突出している。よって、図３に示すように、第二フランジ２１ｂを突出部３４に当接させると共に取付部３５及び基端部３３ａをウェブ２２に当接させることで、押圧部材３０の取付孔３５ａの位置決めが容易になると共に、位置ずれも抑制できる。
【００２６】
ここで、図３（ｂ）に示すように、ガイド部材２０と押圧部材３０との連結固定状態において、脚部３２先端の折曲部３２ａと第一、第二フランジ２１ａ，２１ｂの各先端部との間に隙間ｈが形成されるように、脚部３２は第一、第二フランジ２１ａ，２１ｂよりも長く（被切断物１００からの高さ）設定されている。これにより、図５に示すように、切断用定規１を被切断物１００上に載置すると（図中の２点鎖線）、ガイド部２を構成する第一フランジ２１ａが脚部３２よりも低い（短い）ので、切断用定規１全体が第一フランジ２１ａ側へ傾く。よって、ガイド部２（第一フランジ２１ａ）が被切断物１００から浮き上がることがない。従って、ガイド部２を被切断物１００に密着させることができ、より精度よく直線状に切断することが可能となる。
【００２７】
図１，３（ｂ）に示すように、本実施形態において、延長部３３の先端には、保護カバーとして例えばカッターＣで切断不能な保護用布４１を取り付ける保護カバー取付部３６が形成されている。保持用布４１の一端を押え部材４２により保持部３６の凹部３６ａに噛ませることで保持する。これにより、ガード部４としての延長部３３により作業者の指先だけでなく、腕も保護できるので、安全性も向上する。
【００２８】
上述の如き構成されたガイド部材２０と押圧部材３０は、ガイド部２としてのウェブ２２及び脚部３２が長手方向Ｙに沿って並列するようにウェブ２２に押圧部３としての平坦部３１を重ねた部分で固定部材１０により着脱可能に固定される。なお、固定部材１０には、例えばビスが用いられる。これにより、例えばガイド部２としての第一フランジ２１ａが刃先Ｃｅ等により傷ついたり破損しても、現場にある野縁受（チャンネル材）２０を用いて、図３に示すように、取付孔３５ａを介してビス１０をその野縁受２０のウェブ２２に貫通させて押圧部材３０に取り付ければよいだけであるので、作業性もよい。
【００２９】
次に、本発明の他の実施形態の可能性について言及する。なお、上述の実施形態と同様の部材には同一の符号を附してある。
上記第一実施形態では、１本の長尺部材より構成される押圧部材３０と１本の長尺部材より構成されるガイド部材２０とを連結固定した。しかし、例えば、図６に示すように、１本の長尺部材より構成されるガイド部材２０’に対をなす押圧部材３０’，３０’を取付固定しても構わない。係る場合、ガイド部材２０’のみをその長手方向中央部Ｎが被切断物１００から上方へ向けて凸となるように長手方向Ｙに沿って湾曲しているとよい。これにより、上記と同様にムクリを形成できるので、切断の際にガイド部２の両端が被切断物１００から離れることなく密着させることができ、精度よく直線状に切断することができる。また、湾曲させた中央部分Ｎの上に押圧部材３０’を設けないことで、ガイド部材２０’を撓ませやすくし、作業性を向上させる。
【００３０】
さらに、図６の１点鎖線で示すように、湾曲させたガイド部材２０’の中央部分Ｎをガイド部材２０’とは別の部材として構成し、その連結部材２５で対をなすガイド部材２０’，２０’を連結する構成することも可能である。
【００３１】
また、上記第一、第二実施形態では、ムクリを形成するように湾曲部分を形成したが、図７，８に示すように、直線状のガイド部材２０”及び押圧部材３０”を用いることも可能である。上記各実施形態と同様に、１本の長尺部材より構成される押圧部材３０と１本の長尺部材より構成されるガイド部材２０との組み合わせの他、１本のガイド部材２０と２本の押圧部材３０、２本のガイド部材２０と２本の押圧部材３０の組み合わせでも可能である。但し、上述したように、直線状の場合（ムクリを有しない）、ガイド部２の端部が被切断物１００から浮き上がる場合があり、その点で上記各実施形態が優れている。
【００３２】
最後に、本発明のさらに他の実施形態の可能性について説明する。
上記各実施形態において、ガイド部材２０をＪＩＳ Ａ ６５１７に規定される野縁受を例に説明したが、これに限られるものではなく、少なくともガイド部を有する部材であれば、特に限定されるものではない。
【００３３】
また、上記各実施形態において、ガイド部２となる第一フランジ２１ａを脚部３２よりも短く形成した。しかし、これに限らず同等の高さ（長さ）に設定することも可能である。但し、上述したように、ガイド部２を脚部３２よりも低くすることで、ガイド部２の浮き上がりを防止できるので、その点で上記実施形態が優れている。
【００３４】
上記各実施形態において、固定部材１０としてビスを用いたが、ガイド部材２０と押圧部材３０を着脱可能に取付固定できる態様のものであればよく、取付固定手段は特に限定されるものではない。
【００３５】
上記各実施形態において、保護カバーとしての保護用布４１を押え部材４２で保持する態様を例に説明したが、これに限られるものではなく、例えばプラスチック製カバーを延長部３３に設けても構わない。作業性を損なわない範囲で各種保護部材を採用しえる。
【符号の説明】
【００３６】
１：切断用定規、２：ガイド部、３：押圧部、４：ガード部、１０：固定部材、２０，２０’，２０”：ガイド部材、２１ａ：第一フランジ（ガイド部）、２１ｂ：第二フランジ、２２：ウェブ、３０，３０’，３０”：押圧部材、３１：平坦部（押圧部）、３１ａ，３１ｂ：端部、３２：脚部、３３：延長部（ガード部）、３３ａ：基端部、３４：突出部、３５：取付部、３５ａ：取付孔、３６：保護カバー取付部、３７：取付穴、４１：保護用布（保護カバー）、４２：押え部材、１００：被切断物（石膏ボード）、Ｃ：カッター、Ｃｅ：刃先、Ｈ：作業者の手、Ｎ：中央部分（湾曲部）、Ｘ：幅方向、Ｙ：長手方向、Ｚ：鉛直方向
【図１】
0006647842.tif 000002
【図２】
0006647842.tif 000003
【図３】
0006647842.tif 000004
【図４】
0006647842.tif 000005
【図５】
0006647842.tif 000006
【図６】
0006647842.tif 000007
【図７】
0006647842.tif 000008
【図８】
0006647842.tif 000009